(57)【要約】【課題】  一般的な奥行を有しない押入れなどの収納部において、家族構成の変化などによって使用枚数が増加しても、無理に寝具類を押し込むことなく、整頓された状態で寝具類を収納することのできる、押入れ構造を提供する。【解決手段】  壁芯の奥行を十分に取ることができない寝具類の収納部１において、左右方向において相対する側面板４の開口部側および壁面側に、それぞれダボ孔６，７が、棚板５を底面に対して平行に、かつ前記開口部から壁面方向に向かって、好ましくは２０〜４０度の角度で傾斜させることができるよう、上下方向に配設する。【選択図】      図１
2014055492.tif 000002
【特許請求の範囲】
【請求項１】
壁芯の奥行を十分に取ることができない寝具類の収納部において、
左右方向において相対する側壁の開口部側および壁面側に、それぞれダボ孔が、棚板を底面に対して平行に、かつ前記開口部から壁面方向に向かって一定の角度で傾斜させることができるよう、上下方向に配設されていること
を特徴とする押入れ構造。
【請求項２】
前記傾斜の角度は、
２０〜４０度の範囲内であること
を特徴とする請求項１に記載の押入れ構造。
【請求項３】
前記収納部は、
壁芯の奥行が、約６００〜８００ｍｍであること
を特徴とする請求項１に記載の押入れ構造。
【請求項４】
前記ダボ孔は、
前記壁面側のダボ孔の間隔が、開口部側のダボ孔の間隔よりも短く設定されていること
を特徴とする請求項１に記載の押入れ構造。
【請求項５】
前記左右方向において相対する側壁は、
それぞれ中央部にも、傾斜して配される棚板を支承するためのダボ用のダボ孔が上下方向に配置されていること
を特徴とする請求項１に記載の押入れ構造。
【請求項６】
前記棚板は、
底面に対して平行状態もしくは開口部から壁面方向に向かって２０〜４０度の角度で傾斜している状態で、布団収納用箱を左右方向にスライド自在に載置し、もって通気層を確保できるよう構成されていること
を特徴とする請求項１に記載の押入れ構造。
【請求項７】
前記棚板は、
スノコ状、又は左側面及び／又は右側面もしくは背面側の縁部に沿って、通風用の切欠き部が形成されていること
を特徴とする請求項１に記載の押入れ構造。
【発明の詳細な説明】
【技術分野】
【０００１】
この発明は、押入れ構造、特に奥行が十分でない収納部において、布団を含む寝具類を効率的に収納することのできる押入れ構造に関するものである。
【背景技術】
【０００２】
布団を容易に押入れ内等に収納することができて、この作業が行い易く、布団を二つ折りした時の、この布団の互いに対接する部分間あるいは各布団間に適宜な間隙を設けることができて、この布団が乾燥し易い状態とすることができ、この布団を気持ち良く使用することができる布団収納装置が、特開平０５−０８６７２０号公報（特許文献１）において提案されている。
【０００３】
この布団収納装置は、布団を収納する収納部が備えられた装置本体の底部側に、基枠が設けられ、この基枠に少なくとも一本の布団支持枠の下部が、装置本体の前方に倒れた状態で突出される一方、装置本体内に起立されるように起倒自在に枢着され、この布団支持枠の上部には、布団が掛けられる布団掛け腕部が設けられているものである。
【０００４】
特開平０６−１５４０５１号公報（特許文献２）においては、押入れ等の布団収納部の前方において、棚に布団を載せ、布団を棚から取り出すに当たり、作業者が身体を大きく前屈みにする必要がない布団収納装置が提案されている。
【０００５】
具体的には、布団収納部内の奥側に架台を固定配設し、前記架台に対して昇降アームを上下昇降自在に設け、当該昇降アームを前後方向に伸縮自在として昇降アームの先端可動アーム部に棚板を支持し、当該棚板を上方に移動させるための移動力を付与する上昇力付与手段を設けた布団収納装置である。
【０００６】
さらに、特開平０８−０６６２５８号公報（特許文献３）には、敷布団の幅より狭い幅にならざるを得ない布団収納棚に、敷布団などを安定して収納できるスライド式の布団収納棚が提案されている。
このスライド式の布団収納棚は、押入れの内部と外部の間を進退自在なもので、具体的には、収納棚の左右側部には、中央から外側へ向かって漸次高さの増す傾斜面が形成されたものである。
【先行技術文献】
【特許文献】
【０００７】
【特許文献１】特開平０５−０８６７２０号公報（請求項１、図１）
【特許文献２】特開平０６−１５４０５１号公報（請求項１、図１）
【特許文献３】特開平０８−０６６２５８号公報（請求項１、図１）
【発明の概要】
【発明が解決しようとする課題】
【０００８】
前記特許文献１および２に記載の発明は、押入れなどに収納された布団の出し入れに際して、その作業を容易にすることを目的とするものである。
これに対し、特許文献３に記載の発明は、実際に使用される布団の横幅と、当該布団を収納する押入れの幅との相違に着目してなされたもので、敷布団の幅を小さくした姿勢状態で収納棚上に収納でき、この収納棚は押入れの開口部を支障なく通過させることができるなどの効果を奏するとされている。
【０００９】
特許文献３では、押入れなどの収納部の開口幅については考慮されてはいるものの、その奥行については、一切考慮されていない。
一般的には、布団などの寝具類を収納する押入れは、戸建て住宅では奥行が壁芯で９１０ｍｍ前後、マンションなどの居室面積の狭い集合住宅においては、８５０〜９００ｍｍ程度で設定されているので、布団などを三つ折りに折り畳んでも収納可能である。
【００１０】
前記居室面積の狭いマンションなどでは、和室の設定がない場合が多く、多くの場合、押入れを含む収納部の奥行は６００〜８００ｍｍ前後で設定されているので、特に寝具類の収納に困るケースが多くなっている。
【００１１】
この発明はかかる現状に鑑み、寝具類を載置する棚板を奥行方向に傾斜させて配置することによって、押入れなどの収納部の奥行不足が解消されることを見出し、この発明を完成させたものである。
【００１２】
すなわち、この発明は、一般的な奥行を有しない押入れなどの収納部において、家族構成の変化などによって使用枚数が増加しても、無理に寝具類を押し込むことなく、整頓された状態で寝具類を収納することのできる、押入れ構造を提供することを目的とするものである。
【課題を解決するための手段】
【００１３】
前記の目的を達成するため、この発明の請求項１に記載の発明は、
壁芯の奥行を十分に取ることができない寝具類の収納部において、
左右方向において相対する側壁の開口部側および壁面側に、それぞれダボ孔が、棚板を底面に対して平行に、かつ前記開口部から壁面方向に向かって一定の角度で傾斜させることができるよう、上下方向に配設されていること
を特徴とする押入れ構造である。
【００１４】
この発明の請求項２に記載の発明は、
請求項１に記載の押入れ構造において、
前記傾斜の角度は、
２０〜４０度の範囲内であること
を特徴とするものである。
【００１５】
この発明の請求項３に記載の発明は、
請求項１に記載の押入れ構造において、
前記収納部は、
壁芯の奥行が、約６００〜８００ｍｍであること
を特徴とするものである。
【００１６】
この発明の請求項４に記載の発明は、
請求項１に記載の押入れ構造において、
前記ダボ孔は、
前記壁面側のダボ孔の間隔が、開口部側のダボ孔の間隔よりも短く設定されていること
を特徴とするものである。
【００１７】
この発明の請求項５に記載の発明は、
請求項１に記載の押入れ構造において、
前記左右方向において相対する側壁は、
それぞれ中央部にも、傾斜して配される棚板を支承するためのダボ用のダボ孔が上下方向に配置されていること
を特徴とするものである。
【００１８】
この発明の請求項６に記載の発明は、
請求項１に記載の押入れ構造において、
前記棚板は、
底面に対して平行状態もしくは開口部から壁面方向に向かって２０〜４０度の角度で傾斜している状態で、布団収納用箱を左右方向にスライド自在に載置し、もって通気層を確保できるよう構成されていること
を特徴とするものである。
【００１９】
この発明の請求項７に記載の発明は、
請求項１に記載の押入れ構造において、
前記棚板は、
スノコ状、又は左側面及び／又は右側面もしくは背面側の縁部に沿って、通風用の切欠き部が形成されていること
を特徴とするものである。
【発明の効果】
【００２０】
この発明にかかる押入れ構造は、壁芯の奥行を十分に取ることができない寝具類の収納部において、寝具類を載置する棚板を、開口部側から奥行方向に所定の角度で傾斜させて配置することによって、必要な寝具類を確実に収納することができる。
【００２１】
特に、収納部の左右方向において相対する側壁の開口部側および壁面側に、それぞれダボ孔を、棚板を底面に対して平行に、かつ前記開口部から壁面方向に向かって一定の角度で傾斜させることができるよう上下方向に配設するので、家族構成の変化によって、収納する寝具類の枚数が増加した場合には、棚板を底面に対する平行配置から、壁面側に向かって傾斜配置させることによって、常に整頓された状態で寝具類を押入れに収納することができる。
【００２２】
さらに、前記棚板をスノコ状とすることによって、あるいは棚板の左右の側縁もしくは背面の縁部の所要の部位に、半円状ないしコ字状などからなる通風用の切欠き部を形成することによって、さらには棚板上に布団収納用箱を左右方向にスライド自在に載置させ、
上下の布団収納用箱の位置を同一側に、あるいは互い違いにずらせることによって、空気が流通し、寝具類を湿気から守ることが可能となる。
【図面の簡単な説明】
【００２３】
【図１】この発明の押入れ構造の一例を示す概略側面図である。
【図２】この発明の押入れ構造の他の一例を示す概略側面図である。
【図３】この発明の押入れ構造のさらに他の一例を示す概略正面図である。
【発明を実施するための形態】
【００２４】
以下、この発明にかかる押入れ構造の実施例を、添付の図面に基づいて具体的に説明する。
なお、この発明は、その要旨を変更しない範囲内において種々改良を加えることができるもので、実施例にのみ限定されるものではない。
【００２５】
この発明における押入れ構造は、間口が壁芯で約６００〜８００ｍｍ前後のもので、通常の間口の壁芯間が８５０〜９００ｍｍのものに比べると、約３０％〜約１２％程度狭く設計されている収納部が対象である。
一方、収納される寝具類は、三つ折り状態で幅が約７００ｍｍ前後である。
【００２６】
そのため、図１に示す実施例１においては、間口は一般的な押入れの寸法と変わらないが、奥行が壁芯間で約７００ｍｍ前後の収納部１を想定し、棚板５を開口部側から奥行方向に向けて約２６．５度の角度で傾斜させることによって、効率的に寝具類を収納できるようにしたものである。
【００２７】
すなわち、居室Ｒ側の壁面２と他の部屋、もしくは他の住戸との境界の壁面３との間で相対する側面板４，４（図１では右側の側面）の開口部（居室）側と奥行側に、それぞれ棚板５を載置するためのダボ（図示せず）を着脱自在に装着させるためのダボ孔６，７を、一定間隔で上下方向に配設する。
【００２８】
前記ダボ孔６，７を側面板４，４に形成するに際しては、家族が少なく、使用する布団などの寝具類が量的に少ない場合には、棚板５は底面に対して並行であってもよいので、居室側と壁面側に形成するダボ孔６，７は、基本的に左右同数とする。
【００２９】
家族構成の変化によって、使用する寝具類が増加した場合には、より多くの寝具類を収納するため、居室側のダボ孔６と壁面側のダボ孔７との上下方向における位置の違いによって、棚板５を奥行側に傾斜させ、少なくともその角度が最終的に約２６〜２７度の範囲で傾斜可能なように位置間隔にダボ孔６，７を設計する。
その際、上下方向に配設するダボ孔６，７の間隔をできるだけ狭くすることで、傾斜角度の調整をより容易に行うことができる。
【００３０】
前記棚板５を奥行方向に約２６．５度で傾斜させた収納部１において、前記棚板５に三つ折りした状態の布団８を複数組積層して、収納とその取出しを行ったが、その作業は比較的容易に行うことができた。
【００３１】
かかる棚板５の傾斜角度は、少なくともその角度が５〜４０度の範囲であれば、収納部１の底面に対して平行に装着される棚板５に比べ、傾斜角度に相応して寝具類の収納を漸増させることが可能である。
【００３２】
しかしながら、傾斜角度が４０度以上になると、棚板から寝具類を取り出す場合、収納部１内に手を深く挿入する必要が生じ、全体的に前屈みの姿勢を取らざるを得なくなる。
そのため、棚板５を傾斜させる範囲は、収納部１の高さの少なくとも１／２以下の高さの範囲内であることが好ましい。
【００３３】
図２に示す実施例２は、前記実施例１よりもさらに奥行が壁芯で６００ｍｍと狭い収納部１１の例である。
なお、実施例１と同一部位は、同一の符号で説明する。
【００３４】
前記収納部１１の相対する側面板４，４に形成するダボ孔６，７は、上下方向において位置を異ならせてダボを装着した場合、棚板５の傾斜角が４０度となるよう設計して配設されたものである。
【００３５】
この実施例２では、棚板５の傾斜角を４０度としているので、傾斜はややきついが、布団８の収納は比較的容易に行うことができた。
しかしながら、その取出しは、三つ折りされた布団８の左右の中央部を握持して行うため、前傾姿勢で収納部１１内に上半身を差し入れる必要があるので、傾斜の緩い実施例１に比して、作業者かかる負荷がやや多くなっている。
【００３６】
前記傾斜角が４０度と傾斜がきつくなると、棚板５に布団８を乗せた場合、棚板５に相応の負荷が作用するので、棚板５の下面の中央部を支承するためのダボ孔９，９・・を設けることが好ましい。
その際、図に示すように、前記ダボ孔９を上下方向に２列平行に配設することで、より棚板５に作用する負荷を分散させることができるが、１列であってもよい。
【００３７】
前記棚板５は、基本的に無垢の板状体であってもよいが、積層される寝具類を湿気から守るには、スノコ状のものを使用することが好ましい。
その際、スノコ状とした棚板は、棚板の傾斜角度が増すと、奥行き側の開口面が実質的に狭くなって、通風効果が小さくなる可能性がある。
【００３８】
そのため、前記棚板５を所要の厚みを有する板状体で構成し、収納部１１の左右の側面板４，４および奥行側の壁面３に付設される化粧板と接する棚板５の、３つの縁部（左右および背面）のいずれか、もしくは２カ所以上に円弧状又はコ字状などからなる適宜の大きさを有する切欠き部（図示せず）を形成することで、当該切欠き部を介して上下方向に空気が流通して、寝具類が湿気ることを防止することできる。
【００３９】
さらに、無垢の板状体からなる棚板５の使用に際しては、図３に示すように、相対する側面板４，４間に装着される棚板５の上面に、別途底が浅く、横幅が棚板５の長手方向の幅より短いボックス状の布団収納用箱１０をそれぞれ配設する。
【００４０】
通気性の保持に際しては、前記布団収納用箱１０を棚板５上で左右方向にスライドさせることで、あるいは上下方向に位置する布団収納用箱１０を、位置をずらせるようにセットすることで各段間に隙間Ｓが形成され、収納部１又は１１内の通気性を確保することができる。
【００４１】
この発明にかかる押入れ構造は、壁芯間の奥行が狭い収納部において、収納部内に配設する棚板を、開口部側から奥行方向に傾斜させて設置することによって、三つ折り状態での幅が６５０〜７００ｍｍ前後の布団を、収納枚数を減らすことなく収納可能としたものである。
【産業上の利用可能性】
【００４２】
この発明の押入れ構造は、奥行の狭い収納部に設置する棚板を、開口部側から奥行方向に向けて傾斜させて装着することができるため、あらゆる物品の収納に応用することが可能で、効率的に物品の収納ができる。
【符号の説明】
【００４３】
１，１１    収納部
２，３      壁面
４          収納部内の側面板
５          棚板
６，７，９  ダボ孔
８          布団
１０        布団収納用箱
【図１】
2014055492.tif 000003
【図２】
2014055492.tif 000004
【図３】
2014055492.tif 000005